(57)【要約】【課題】温度調整装置にて、蒸発器で結露により発生するドレン水を排水する排水設備を簡略化しつつ、ドレン水の冷熱をも有効に利用し装置全体として熱の有効利用を図る。【解決手段】圧縮機２と水冷式の凝縮器３と膨張部４と蒸発器５とが、冷媒Ｃが循環する冷媒循環路１に記載順に設けられた冷凍サイクルを備え、蒸発器５にて冷媒Ｃと温調対象空気との熱交換により冷却された温調対象空気を用いて温調対象空間３０を温度調整する温度調整装置であって、凝縮器３を通流する冷媒Ｃと熱交換して当該冷媒Ｃを凝縮させる冷却水Ｗが通流する冷却水通流路９と、蒸発器５の結露により発生したドレン水Ｄを冷却水通流路９に供給するドレン水通流路１２とを備え、ドレン水通流路１２の途中に熱交換器１６を設け、熱交換器１６においてドレン水通流路１２を通流するドレン水Ｄと冷媒循環路１を通流し凝縮器３を通過した後の冷媒Ｃとを熱交換させ、当該冷媒Ｃを冷却する。【選択図】図１
2010181050.tif 000002
【特許請求の範囲】
【請求項１】
冷媒を圧縮する圧縮機と、前記圧縮機にて圧縮された冷媒を凝縮させる水冷式の凝縮器と、前記凝縮器にて凝縮された後の冷媒を膨張させる膨張部と、前記膨張部にて膨張された後の冷媒を蒸発させる蒸発器とが、冷媒が循環する冷媒循環路に記載順に設けられた冷凍サイクルを備え、前記蒸発器にて冷媒と温調対象空気との熱交換により冷却された前記温調対象空気を用いて温調対象空間を温度調整する温度調整装置であって、
前記凝縮器を通流する冷媒と熱交換して当該冷媒を凝縮させる冷却水が通流する冷却水通流路と、前記蒸発器の結露により発生したドレン水を前記冷却水通流路に供給するドレン水通流路とを備え、
前記ドレン水通流路の途中に熱交換器を設け、当該熱交換器において前記ドレン水通流路を通流するドレン水と前記冷媒循環路を通流し前記凝縮器を通過した後の冷媒とを熱交換させ、当該冷媒を冷却するように構成されている温度調整装置。
【請求項２】
前記ドレン水通流路は、前記熱交換器を通過した後のドレン水を、前記冷却水通流路における前記凝縮器の下流側に供給する請求項１に記載の温度調整装置。
【請求項３】
前記ドレン水通流路と前記冷却水通流路とが接続する箇所が前記冷却水通流路の流路径を絞ったベンチュリ構造に形成され、前記ドレン水通流路における前記ベンチュリ構造の上流側には、前記ドレン水及び前記冷却水の前記熱交換器側への逆流を防止する逆止弁が設けられている請求項２に記載の温度調整装置。
【発明の詳細な説明】
【技術分野】
【０００１】
本発明は、圧縮機と、凝縮器と、膨張部と、蒸発器とが、冷媒が循環する冷媒循環路に記載順に設けられた冷凍サイクルを備え、蒸発器にて冷却された温調対象空気を用いて温調対象空間を温度調整する温度調整装置に関する。
【背景技術】
【０００２】
上記冷凍サイクルを利用した温度調整装置として、冷媒を圧縮する圧縮機と、圧縮機にて圧縮された冷媒を凝縮させる水冷式の凝縮器と、凝縮器にて凝縮された後の冷媒を膨張させる膨張部と、膨張部にて膨張された後の冷媒を蒸発させる蒸発器とが、冷媒が循環する冷媒循環路に記載順に設けられた冷凍サイクルを備え、蒸発器にて冷媒と温調対象空気との熱交換により冷却された温調対象空気を用いて冷却対象空間を冷却する空気調和装置がある（例えば、特許文献１を参照）。
【０００３】
上記温度調整装置、例えば、特許文献１に記載の空気調和装置では、空気調和装置の運転に伴い、温調対象空気を冷却する蒸発器の表面において結露により水（ドレン水）が発生し、このドレン水を何らかの方法により処理する必要がある。そのため、特許文献１に記載の空気調和装置では、蒸発器の結露により発生したドレン水を当該蒸発器の下部に設けられたドレンパンにより一時的に貯留して、凝縮器を通流する冷媒を冷却するための冷却水が通流する冷却水通流路へ上記ドレン水を供給するドレン水通流路を設けており、凝縮器を通過した後の冷却水とドレン水とを合流させてドレン水を排水できるように構成されている。これにより、蒸発器から発生したドレン水を簡便に排水処理できるとともに、当該ドレン水を排水処理するための配管を戸外にまで延出させる必要がないため配管を短くして工事費用の低減を図ることができるとされる。
【先行技術文献】
【特許文献】
【０００４】
【特許文献１】特開２００４−１１６８６８号公報
【発明の概要】
【発明が解決しようとする課題】
【０００５】
上述の通り、上記特許文献１に記載の空気調和装置では、蒸発器の結露により発生したドレン水を簡便に排水処理できるとともに、当該ドレン水を排水処理するための配管を短くして工事費用の低減を図ることができる。しかしながら、蒸発器から発生したドレン水を凝縮器を通過した後の冷却水に合流させているため、比較的低温（例えば、９℃〜１５℃程度）のドレン水をそのまま排水処理することとなり、ドレン水の冷熱が有効に利用されていないという問題がある。
【０００６】
本発明は、上記の課題に鑑みてなされたものであり、その目的は、蒸発器の結露により発生するドレン水を排水する排水設備をできるだけ簡略化しながら、当該ドレン水の冷熱をも有効に利用して装置全体として熱の有効利用を図ることができる温度調整装置を提供する点にある。
【課題を解決するための手段】
【０００７】
上記目的を達成するための本発明に係る温度調整装置は、冷媒を圧縮する圧縮機と、前記圧縮機にて圧縮された冷媒を凝縮させる水冷式の凝縮器と、前記凝縮器にて凝縮された後の冷媒を膨張させる膨張部と、前記膨張部にて膨張された後の冷媒を蒸発させる蒸発器とが、冷媒が循環する冷媒循環路に記載順に設けられた冷凍サイクルを備え、前記蒸発器にて冷媒と温調対象空気との熱交換により冷却された前記温調対象空気を用いて温調対象空間を温度調整する温度調整装置であって、その特徴構成は、
前記凝縮器を通流する冷媒と熱交換して当該冷媒を凝縮させる冷却水が通流する冷却水通流路と、前記蒸発器の結露により発生したドレン水を前記冷却水通流路に供給するドレン水通流路とを備え、
前記ドレン水通流路の途中に熱交換器を設け、当該熱交換器において前記ドレン水通流路を通流するドレン水と前記冷媒循環路を通流し前記凝縮器を通過した後の冷媒とを熱交換させ、当該冷媒を冷却するように構成されている点にある。
【０００８】
上記特徴構成によれば、温度調整装置の運転に伴い蒸発器の表面に結露により発生したドレン水はドレン水通流路を通流して、水冷式の凝縮器を通流する冷媒を凝縮（冷却）させる冷却水が通流する冷却水通流路に供給されることとなる。この際、ドレン水通流路の途中で、かつ冷媒循環路において冷媒が凝縮器を通過し膨張部を通過する前の箇所に熱交換器が設けられているので、当該熱交換器においてドレン水通流路を通流するドレン水と冷媒循環路を通流し凝縮器を通過した後の冷媒とを熱交換させ、当該冷媒を良好に冷却することができる。これにより、凝縮器を通流する冷媒を冷却水により冷却して凝縮できることに加え、当該凝縮された冷媒を熱交換器において比較的低温（例えば、９℃〜１５℃程度）のドレン水と熱交換させて、さらに冷却することができ、当該ドレン水の冷熱を有効に利用して、冷凍サイクルの成績係数の向上を図ることができる。よって、蒸発器の結露により発生するドレン水を排水する排水設備をできるだけ簡略化しながら、当該ドレン水の冷熱をも有効に利用して装置全体として熱の有効利用を図ることができる。
【０００９】
本発明に係る温度調整装置の更なる特徴構成は、前記ドレン水通流路は、前記熱交換器を通過した後のドレン水を、前記冷却水通流路における前記凝縮器の下流側に供給する点にある。
【００１０】
上記特徴構成によれば、ドレン水通流路は、熱交換器を通過した後のドレン水を冷却水通流路における凝縮器の下流側に供給するので、冷却水通流路において比較的通流圧力が低下している部分にドレン水を供給でき、例えば、ドレン水をポンプにより冷却水通流路に供給する場合に、当該ポンプの供給能力（容量）が比較的低くても容易に供給することができ、より排水設備の簡略化を図ることができる。
【００１１】
本発明に係る温度調整装置の更なる特徴構成は、前記ドレン水通流路と前記冷却水通流路とが接続する箇所が前記冷却水通流路の流路径を絞ったベンチュリ構造に形成され、前記ドレン水通流路における前記ベンチュリ構造の上流側には、前記ドレン水及び前記冷却水の前記熱交換器側への逆流を防止する逆止弁が設けられている点にある。
【００１２】
上記特徴構成によれば、ドレン水通流路と冷却水通流路とが接続する箇所が冷却水通流路の流路径を絞ったベンチュリ構造に形成されているので、冷却水通流路において当該ベンチュリ構造部分を通流する冷却水による通流圧力の低下作用により、ドレン水通流路を通流するドレン水を当該冷却水通流路に引き込むことができ、例えば、ドレン水をドレン水通流路から冷却水通流路に供給するためのポンプを省略することができ、より一層排水設備の簡略化を図ることができる。なお、この際には、ドレン水通流路におけるベンチュリ構造の上流側には、ドレン水及び冷却水の熱交換器側への逆流を防止する逆止弁が設けられているので、ドレン水通流路において熱交換器を通過したドレン水や冷却水通流路を通流する冷却水がドレン水通流路に設けられた熱交換器側に逆流することは確実に防止されている。
【図面の簡単な説明】
【００１３】
【図１】温度調整装置の概略構成を示す図
【図２】別実施形態に係る温度調整装置の概略構成を示す図
【発明を実施するための形態】
【００１４】
以下に、本発明に係る温度調整装置の実施形態について説明する。
図１は、温度調整装置の概略構成を示す図である。
【００１５】
図１に示すように、温度調整装置は、冷媒Ｃが循環する冷媒循環路１を備える。温度調整装置は、冷媒循環路１において、蒸発した冷媒Ｃを圧縮する圧縮機２と、圧縮機２にて圧縮された冷媒Ｃを凝縮させる水冷式の凝縮器３と、凝縮器３にて凝縮された後の冷媒Ｃを膨張させる膨張弁４（膨張部の一例）と、膨張弁４にて膨張された後の冷媒Ｃを蒸発させ、吸入空気と冷媒Ｃとの熱交換により吸入空気を冷却する蒸発器５とが記載順に設けられた冷凍サイクルを備える。
【００１６】
また、温度調整装置は、蒸発器５において冷却された冷却空気を加熱して吹出空気とする電気式のヒータ６（加熱手段の一例）と、吸入空気を吸い込んで、蒸発器５及びヒータ６を経由した後で温度調整装置から吹出空気として温調対象空間３０に排出するための温調対象空気の流れを作り出す蒸発器用ファン７とを備える。
さらに、温度調整装置は、蒸発器５とヒータ６との間に設けられた温度センサ３１、及びヒータ６と蒸発器用ファン７の下流側に設けられた温度センサ３２から検出された温度情報を用いて、温調対象空間３０に排出される吹出空気の温度が吹出目標温度となるように温度調整装置の各機器の運転を制御する制御手段８とを備える。
【００１７】
次に、本発明に係る温度調整装置は、凝縮器３を通流する冷媒Ｃと熱交換して、当該冷媒Ｃを凝縮（冷却）させる冷却水Ｗが通流する冷却水通流路９を備える。すなわち、凝縮器３は、冷却水通流路９を通流する冷却水Ｗにより当該凝縮器３の冷媒Ｃを凝縮（冷却）させる水冷式の凝縮器である。ここで、水冷式の凝縮器３は、公知の液体・液体熱交換器から構成され、例えば、二重管式の熱交換器、スパイラル式熱交換器などで構成することができる。したがって、冷却水通流路９を通流する冷却水Ｗと凝縮器３を通流する冷媒Ｃとを熱交換させ、冷媒Ｃを良好に冷却することができる。なお、凝縮器３を通流する冷媒Ｃは、凝縮器３に流入する箇所付近では圧縮機２で圧縮された状態の冷媒Ｃであるので、比較的高温（例えば、７５℃〜９５℃）であるが、凝縮器３から排出される箇所付近では、凝縮器３における冷却水Ｗとの熱交換により比較的低温（例えば、３５℃程度）にまで冷却される。
冷却水通流路９は、冷却水Ｗを冷却する冷却塔１０に接続され、当該冷却塔１０において冷却された冷却水Ｗを凝縮器用ポンプ１１により凝縮器３に供給し、凝縮器３において冷媒Ｃと熱交換して加熱された冷却水Ｗを冷却塔１０に戻して再度冷却する循環路とされている。この冷却塔１０内には、冷却塔用ファン（図示せず）が設けられ、当該冷却塔用ファンが回転することで外部から冷却塔１０内に空気を吸入し冷却水Ｗを冷却した後、当該空気を冷却塔１０から排出することが可能に構成されている。なお、この冷却塔１０により冷却され凝縮器３に供給される冷却水Ｗの温度は、例えば、３２℃程度である。
【００１８】
次に、本発明に係る温度調整装置は、蒸発器５の表面で結露により発生した水（ドレン水Ｄ）を冷却水通流路９に供給するドレン水通流路１２を備える。すなわち、このドレン水通流路１２は、冷却水通流路９における凝縮器３の下流側（例えば、接続箇所Ｍ）に接続され、蒸発器５の表面で結露により発生したドレン水Ｄを凝縮器３の下流側に供給可能に構成されている。
このドレン水通流路１２は、蒸発器５の表面で結露により発生したドレン水Ｄを貯留するドレンパン１３と、ドレンパン１３に貯留されたドレン水Ｄを当該ドレンパン１３の底部付近から開閉弁１４を介して吸引して下流側に供給するドレン水用ポンプ１５とを備えている。
【００１９】
ドレンパン１３は、蒸発器５の下部に配置され、蒸発器５の表面で結露により発生したドレン水Ｄを集水する集水部１３ａと、集水部１３ａにて集水されたドレン水Ｄを貯留する貯留部１３ｂとから構成されている。
したがって、ドレン水用ポンプ１５が停止している場合には、制御手段８により開閉弁１４を閉じておきドレンパン１３の貯留部１３ｂにドレン水Ｄを貯留させることができる。一方、当該貯留部１３ｂに設けられた水位センサ（図示せず）等により、当該貯留部１３ｂにドレン水Ｄが所定量以上貯留したことが検知された場合には、制御手段８により開閉弁１４を開くとともにドレン水用ポンプ１５を駆動させることで、ドレン水Ｄを当該ドレン水用ポンプ１５の下流側に供給することができる。なお、水位センサを設けずに、温度調整装置を運転している時間数に応じて所定時間毎に、例えば、５時間運転毎にドレン水用ポンプ１５を一定時間駆動させることとしてもよい。
【００２０】
また、ドレン水通流路１２には、その途中、具体的には、ドレン水用ポンプ１５の下流側で冷却水通流路９に接続する接続箇所Ｍよりも上流側に、熱交換器１６が配置されている。この熱交換器１６の配置箇所を冷媒循環路１上で説明すると、熱交換器１６は凝縮器３の下流側で膨張弁４の上流側に配置されている。したがって、この熱交換器１６は、冷媒循環路１において凝縮器３を通過した冷媒Ｃとドレン水通流路１２においてドレン水用ポンプ１５を通過したドレン水Ｄとを熱交換可能に構成されている。なお、この熱交換器１６は、公知の液体・液体熱交換器から構成され、例えば、二重管式の熱交換器、スパイラル式熱交換器などで構成することができる。したがって、冷媒循環路１を通流する冷媒Ｃとドレン水通流路１２を通流するドレン水Ｄとを熱交換させ、冷媒Ｃを良好に冷却することができる。なお、凝縮器３から排出され熱交換器１６に流入する前の冷媒Ｃは、凝縮器３における冷却水Ｗとの熱交換により比較的低温（例えば、３５℃程度）にまで冷却されているが、当該熱交換器１６におけるドレン水Ｄ（例えば、９℃〜１５℃程度）との熱交換により、当該冷媒Ｃを例えば、３４℃程度にまで冷却することができる。
【００２１】
以上が、本発明に係る温度調整装置の構成であるが、この温度調整装置を用いて温調対象空間３０を温度調整する方法について、以下に説明する。
温度調整装置の運転が開始されると、制御手段８は、蒸発器５において冷却されて排出される冷却空気の温度と、ヒータ６において加熱されて排出される吹出空気の温度との両方を制御して、冷却空気の制御目標温度（冷却目標温度）を、吹出空気の制御目標温度（吹出目標温度）よりも僅かに低く設定する。そして、制御手段８は、ヒータ６を用いて冷却空気を加熱して、吹出空気の温度が吹出目標温度と同じになるようにする。このように、冷却目標温度を吹出目標温度よりも僅かに低く設定することで、ヒータ６での加熱要求量を僅かにして温度制御の精度を高めながら消費電力を抑えるようにしている。これにより、温調対象空間３０を吹出目標温度に精密に温度調整することができる。
【００２２】
この際、制御手段８は、冷却空気の温度を制御するために、蒸発器５の冷却能力、すなわち、蒸発器５を通流する冷媒量を調節する。つまり、制御手段８は、冷却空気の温度を上昇させるためには圧縮機２の回転速度を低下させて蒸発器５を流通する冷媒量を減少させ、冷却空気の温度を低下させるためには圧縮機２の回転速度を上昇させて蒸発器５を流通する冷媒量を増加させる。また、制御手段８は、吹出空気の温度を制御するためには電気式のヒータ６への通電量を調節する。
さらに、制御手段８は、凝縮器３における冷媒Ｃの温度を制御するために、凝縮器３の冷却能力、すなわち、凝縮器３に供給される冷却水Ｗの量及び温度を調整することができる。つまり、制御手段８は、冷却水通流路９における凝縮器用ポンプ１１の回転速度を増減させたり、冷却塔１０内の冷却塔用ファンの回転数を増減させることにより、凝縮器３に供給される冷却水Ｗの量及び温度を調整して、凝縮器３における冷媒Ｃの温度、特に当該凝縮器３から排出される冷媒Ｃの温度を調整することもできる。例えば、この凝縮器３から排出される冷媒Ｃの温度が３５℃程度となるように調整することもできる。
【００２３】
このようにして温度調整装置の運転が継続すると、蒸発器５の表面において結露により水（ドレン水Ｄ）が発生するが、このドレン水Ｄはドレンパン１３の集水部１３ａで集水され、開閉弁１４が閉じているため貯留部１３ｂに順次貯留される。この貯留されたドレン水Ｄが、貯留部１３ｂに所定量以上貯留されたことが水位センサ（図示せず）により検知されると、制御手段８は開閉弁１４を開くとともにドレン水用ポンプ１５の駆動を開始し当該ドレン水Ｄを熱交換器１６に供給する。
【００２４】
したがって、熱交換器１６において、凝縮器３を通過した後の冷媒Ｃとドレン水用ポンプ１５を通過した後のドレン水Ｄとを熱交換させ、比較的高温の当該冷媒Ｃ（例えば、３５℃程度）を、比較的低温のドレン水Ｄ（例えば、９℃〜１５℃程度）により良好に冷却することができる。これにより、例えば、当該冷媒Ｃを３４℃程度にまで冷却することができる。なお、熱交換器１６において冷却された後の冷媒Ｃの温度は、熱交換器１６におけるドレン水Ｄの温度や供給量、凝縮器３に流入する冷媒Ｃの量及び温度等によって異なるが、制御手段８により、ドレン水用ポンプ１５の回転速度を調節して、熱交換器１６に供給されるドレン水Ｄの供給量を調整し、当該熱交換器１６を通過した後の冷媒Ｃの温度をある程度調整することもできる。よって、ドレン水Ｄの冷熱により凝縮器３を通過した冷媒Ｃを冷却することができ、当該ドレン水Ｄの冷熱を有効に利用して冷凍サイクルの成績係数を向上させ、熱の有効利用を図ることができる。
【００２５】
そして、熱交換器１６で熱交換して加熱されたドレン水Ｄは、当該熱交換器１６を通過した後ドレン水通流路１２を通流して、冷却水通流路９における凝縮器３の下流側（接続箇所Ｍ）に供給（排水）される。したがって、蒸発器５で結露により発生したドレン水Ｄを排水するための排水設備を既存の冷却塔１０を介して循環する循環路（冷却水通流路９）と共用することができ、排水設備をできるだけ簡略化することができる。なお、循環路である冷却水通流路９に供給されたドレン水Ｄにより、当該循環路を通流する冷却水Ｗ（ドレン水Ｄを含む）の量が増加する場合があるが、冷却塔１０内を所定時間内に通流する冷却水Ｗの量が所定量以上となった場合に当該冷却水Ｗを冷却塔１０内からオーバーフローさせる機構を備えておいてもよい。
【００２６】
よって、上記温度調整装置では、蒸発器５で結露により発生するドレン水Ｄを排水する排水設備をできるだけ簡略化しながら、当該ドレン水Ｄの冷熱をも有効に利用して装置全体として熱の有効利用を図ることができる。
【００２７】
＜別実施形態＞
（１）上記実施形態では、ドレン水通流路１２においてドレン水Ｄをドレンパン１３の貯留部１３ｂから熱交換器１６を介して冷却水通流路９に供給するためにドレン水用ポンプ１５を用いたが、確実にドレン水Ｄを冷却水通流路９に供給できる構成であれば、特にこの構成に限定されるものではない。例えば、図２に示すように、上記ドレン水用ポンプ１５及び開閉弁１４を省略してドレン水通流路１２を構成することもできる。具体的には、ドレン水通流路１２と冷却水通流路９とが接続する箇所をベンチュリ構造２０に形成し、ドレン水通流路１２におけるベンチュリ構造２０の上流側には、ドレン水Ｄ及び冷却水Ｗの熱交換器１６側への逆流を防止する逆止弁２１を設ける。このベンチュリ構造２０は、接続箇所Ｍにおいて冷却水通流路９の流路径を絞った絞り部２２を備えるとともに、この絞り部２２にドレン水Ｄを良好に引き込ませることを可能にするためドレン水通流路１２における逆止弁２１よりも下流側において比較的流路径が小さくなるように構成されている。なお、ドレンパン１３の貯留部１３ｂは、ドレン水通流路１２及び冷却水通流路９よりも鉛直方向上側に配置されているので、当該貯留部１３ｂに貯留されたドレン水Ｄはドレン水通流路１２における逆止弁２１の上流側まで供給され、冷却水通流路９の絞り部２２を通流する冷却水Ｗにより逆止弁２１を介して冷却水通流路９に良好に引き込まれることとなる。したがって、ドレン水用ポンプ１５等を設けずに、ドレン水Ｄを熱交換器１６に通流させることができるとともに冷却水通流路９にも通流させることができ、比較的簡単な構成の排水設備を採用して、ドレン水Ｄの処理及びドレン水Ｄの冷熱を有効に利用することができる。
【００２８】
（２）上記実施形態では、冷却水通流路９を冷却水Ｗが冷却塔１０を介して循環する循環路として説明したが、凝縮器３を冷却水Ｗにより良好に冷却することができ、ドレン水通流路１２を通流するドレン水Ｄを冷却水通流路９に確実に供給（排水）することができる構成であれば、特にこの構成に限定されるものではない。例えば、冷却水通流路９を循環路ではなく、開回路により構成し、開回路の一端から供給される冷却水Ｗを凝縮器３に供給し、凝縮器３から排出された冷却水Ｗ及びドレン水通流路１２から供給されたドレン水Ｄを開回路の他端から排出する構成を採用することもできる。
【００２９】
（３）上記実施形態では、ドレン水通流路１２を通流するドレン水Ｄを冷却水通流路９における凝縮器３の下流側に供給したが、熱交換器１６を通過したドレン水Ｄを冷却水通流路９に供給できる構成であれば、特にこの構成に限定されるものではない。例えば、ドレン水通流路１２を通流し熱交換器１６を通過したドレン水Ｄを、冷却水通流路９における凝縮器３の上流側に供給する構成とすることもできる。また、ドレン水通流路１２を通流し熱交換器１６を通過したドレン水Ｄを、冷却水通流路９における冷却塔１０に直接供給する構成とすることもできる。
【００３０】
（４）上記実施形態では、蒸発器５から排出された冷却空気をヒータ６で加熱する構成を採用したが、冷却空気を適切に冷却して温調対象空間３０に適切な温度の吹出空気を供給できる構成であれば、ヒータ６を用いずに構成することもできる。
【産業上の利用可能性】
【００３１】
本発明は、圧縮機、水冷式の凝縮器、膨張部、蒸発器の順に冷媒を循環させる冷凍サイクルを備え、蒸発器にて冷媒と温調対象空気との熱交換により冷却された温調対象空気を用いて温調対象空間を温度調整する温度調整装置において、蒸発器で結露により発生するドレン水を排水する排水設備をできるだけ簡略化しながら、当該ドレン水の冷熱をも有効に利用して装置全体として熱の有効利用を図ることができる技術として有用に利用可能である。
【符号の説明】
【００３２】
１    冷媒循環路
２    圧縮機
３    水冷式の凝縮器
４    膨張弁（膨張部）
５    蒸発器
９    冷却水通流路
１２  ドレン水通流路
１６  熱交換器
２０  ベンチュリ構造
２１  逆止弁
３０  温調対象空間
Ｃ    冷媒
Ｗ    冷却水
Ｄ    ドレン水
【図１】
2010181050.tif 000003
【図２】
2010181050.tif 000004